(57)【要約】【課題】折り畳み可能に構成した主トレイと補助トレイを有する用紙載置部を有する媒体搬送装置では、係合部に孔が形成されたり、つなぎ部分に段や隙間が形成されたりするため、トレイに記録用紙を積載する際に用紙が引っかかってしまい、折れ曲がりや座屈、破損等を生じる場合があった。【解決手段】装置本体と係合し、装置本体に対して回動可能に設けられた媒体載置基体（６２６，６０２）と、媒体載置基体と係合し、媒体載置基体と共に媒体を積載する第１の変位状態と前記媒体載置基体に重なる第２の変位状態とを取りえる第１補助トレイ６０７と、媒体載置基体と第１補助トレイ６０７の境界部に配置され、一端側に備えた回動支点を媒体載置基体側に備え、回動可能に設けられた補助載置板６２９とを有することを特徴とする媒体搬送装置。【選択図】図７
2011136842.tif 000002
【特許請求の範囲】
【請求項１】
装置本体と、該装置本体に少なくとも一部が収容可能な媒体載置部とを有する媒体搬送装置であって、
前記媒体載置部は、
前記装置本体と係合し、装置本体に対して回動可能に設けられた媒体載置基体と、
前記媒体載置基体と係合し、前記媒体載置基体と共に媒体を積載する第１の変位状態と前記媒体載置基体に重なる第２の変位状態とを取りえる第２の載置部と、
前記媒体載置基体と前記第２の載置部の境界部に配置され、一端側に備えた回動支点を前記媒体載置基体側に備え、回動可能に設けられた補助部材と
を有することを特徴とする媒体搬送装置。
【請求項２】
前記媒体載置基体は、
前記装置本体に、収納位置と稼働位置とに回動可能に設けられ、前記第２の載置部を変位可能に保持する保持部材と、
前記媒体を載置して前記保持部材に変位可能に保持され、前記装置本体と係合して積載する前記媒体の位置を変位可能な第１の載置部と
を備え、前記保持部材が前記補助部材の前記回動支点を回動可能に保持したことを特徴とする請求項１記載の媒体搬送装置。
【請求項３】
前記補助部材の他端側に、前記第２の載置部と係合する係合部を備えたことを特徴とする請求項１又は２記載の媒体搬送装置。
【請求項４】
前記媒体載置体は前記第２の載置部を回動可能に保持し、前記媒体載置体と前記第２の載置部とは、前記第２の載置部が前記第１の変位状態にあるとき、前記境界部において所定形状の開口が生じるように、互いに対向する位置に切欠き部を形成したことを特徴とする請求項３記載の媒体搬送装置。
【請求項５】
前記補助部材は、前記所定形状の開口に嵌る程度の形状を有し、回動によって前記所定形状の開口に嵌合可能に配置されたことを特徴とする請求項４記載の媒体搬送装置。
【請求項６】
前記第２の載置部は、前記第１の変位状態において、前記所定形状の開口に嵌合する前記補助部の前記係合部と係合し、前記補助部の自重による回動を規制する規制部を備えたことを特徴とする請求項５記載の媒体搬送装置。
【請求項７】
前記第２載置部は、前記第２の閉状態で前記媒体載置基体の一方の面に重なり、前記補助部は、前記規制部による規制力を超える力を受けることにより前記媒体載置基体の他方の面に重なることを特徴とする請求項６記載の媒体搬送装置。
【請求項８】
前記規制部を前記媒体載置基体に重なる位置に固定する固定手段を設けたことを特徴とする請求項７記載の媒体搬送装置。
【請求項９】
前記所定形状は方形であることを特徴とする請求項４乃至８の何れかに記載の媒体搬送装置。
【請求項１０】
請求項１乃至９の何れかの媒体搬送装置と、
前記媒体載置部に積載される媒体に画像を形成する画像形成部と
を有することを特徴とする画像形成装置。
【発明の詳細な説明】
【技術分野】
【０００１】
本発明は、媒体積載部を有する媒体搬送装置、及びこの媒体搬送装置を備え記録材上に画像を形成する画像形成装置に関する。
【背景技術】
【０００２】
従来、給紙トレイや排紙トレイは、画像形成装置の装置本体の側面、或いは前後に開閉可能に設けられた主トレイと、この主トレイにスライド可能に、或いは折畳み可能に付設された複数の補助トレイとを備えて構成されている。主トレイは長さ寸法が標準的なサイズの用紙に対応して設定され、補助トレイは、主トレイから引き出された状態で標準的な長さ寸法が設定される給紙トレイ又は排紙トレイが提供されている（例えば、特許文献１参照）。
【先行技術文献】
【特許文献】
【０００３】
【特許文献１】特開２００４−１３７０７８号公報（第４頁、図１）
【発明の概要】
【発明が解決しようとする課題】
【０００４】
しかしながら、装置の小型化に伴い、例えばトレイを収納する際に、オペレーション・パネルやカバーのロックといった突起物を逃げるようにトレイの形状が決められる傾向にある。そのため、折り畳まれた補助トレイを開くと、主トレイと補助トレイの係合部に孔が形成されたり、つなぎ部分に段や隙間が形成されたりするため、トレイに記録用紙を積載する際に用紙が引っかかってしまい、折れ曲がりや座屈、破損等を生じる場合があった。またこのような不都合を避けるには、細心の注意を払って記録用紙をセットしなければならず、用紙扱いの容易性にも問題があった。
【０００５】
本発明の目的は、以上のような問題点を解消し、主トレイと補助トレイとの境に何らかの隙間が生じるような場合であっても、常に安全に記録用紙が載置でき、用紙扱いの容易性も改善できる媒体搬送装置及び画像形成装置を提供することにある。
【課題を解決するための手段】
【０００６】
本発明による媒体搬送装置は、装置本体と、該装置本体に少なくとも一部が収容可能な媒体載置部とを有する媒体搬送装置であって、前記媒体載置部は、
前記装置本体と係合し、装置本体に対して回動可能に設けられた媒体載置基体と、前記媒体載置基体と係合し、前記媒体載置基体と共に媒体を積載する第１の変位状態と前記媒体載置基体に重なる第２の変位状態とを取りえる第２の載置部と、前記媒体載置基体と前記第２の載置部の境界部に配置され、一端側に備えた回動支点を前記媒体載置基体側に備え、回動可能に設けられた補助部材とを有することを特徴とする。
【０００７】
本発明による画像形成装置は、上記した媒体搬送装置と、前記媒体載置部に積載される媒体に画像を形成する画像形成部とを有することを特徴とする。
【０００８】
参考例による媒体搬送装置は、装置本体と、該装置本体に少なくとも一部が収容可能な媒体載置部とを有する媒体搬送装置であって、前記媒体載置部は、
前記装置本体と係合し、積載する媒体の位置を変位可能な第１の載置部と、前記第１の載置部と共に前記媒体を積載する第１の変位状態と前記第１の載置部に重なる第２の変位状態とを取りえる第２の載置部と、前記第２の載置部の変位に連動して移動可能に設けられ、前記第２の載置部が前記第１の変位状態のとき、前記第１の載置部と前記第２の載置部の境界部に配置される補助部材とを有することを特徴とする。
【０００９】
参考例による別の媒体搬送装置は、装置本体と、該装置本体に少なくとも一部が収容可能な媒体載置部とを有する媒体搬送装置であって、前記媒体載置部は、
前記装置本体に、収納位置と稼働位置とに変位可能に保持された保持部材と、前記保持部材に変位可能に保持され、前記保持部材が前記稼働位置にあるとき、前記装置本体に隣接して、積載する媒体の位置を変位可能な第１の載置部と、前記保持部材に変位可能に保持され、前記保持部材が前記稼働位置にあるとき、前記第１の載置部に隣接して前記第１の載置部と共に前記媒体を積載する第１の変位状態と前記第１の載置部に重なる第２の変位状態とを取りえる第２の載置部と、前記第２の載置部の変位に連動して移動可能に設けられ、前記第２の載置部が前記第１の変位状態のとき、前記第１の載置部と前記第２の載置部の境界部に配置される補助部材とを有することを特徴とする。
【００１０】
参考例による更に別の媒体搬送装置は、装置本体と、該装置本体に少なくとも一部が収容可能な媒体載置部とを有する媒体搬送装置であって、前記媒体載置部は、
前記装置本体に、収納位置と稼働位置とに変位可能に保持された保持部材と、前記保持部材に変位可能に保持され、前記保持部材が前記稼働位置にあるとき、前記装置本体に隣接して積載する媒体の位置を変位可能な第１の載置部と、前記保持部材に変位可能に保持され、前記保持部材が前記稼働位置にあるとき、前記第１の載置部に隣接して前記第１の載置部と共に前記媒体を積載する第１の変位状態と前記第１の載置部に重なる第２の変位状態とを取りえる第２の載置部と、前記保持部材に変位可能に保持され、前記保持部材が前記稼働位置にあるとき、前記第１の載置部と前記第２の載置部の境界部に配置される補助部材とを有することを特徴とする。
【００１１】
参考例による更に別の媒体搬送装置は、装置本体と、該装置本体に少なくとも一部が収容可能な媒体載置部とを有する媒体搬送装置であって、前記媒体載置部は、
前記装置本体に、収納位置と稼働位置とに変位可能に保持された保持部材と、前記保持部材に変位可能に保持され、前記保持部材が前記稼働位置にあるとき、前記装置本体に隣接して積載する媒体の位置を変位可能な第１の載置部と、前記保持部材に変位可能に保持され、前記保持部材が前記稼働位置にあるとき、前記第１の載置部に隣接して前記第１の載置部と共に前記媒体を積載する第１の変位状態と前記第１の載置部に重なる第２の変位状態とを取りえる第２の載置部と、一端側が前記第２の載置部に固定され、他端側が、前記保持部材に一方向に回転力が付与されて回転自在に保持された巻き取り部材に巻回されて緊張状態が保たれるシート状の補助部材とを有し、
前記補助部材が、前記第２の載置部が前記第１の変位状態のとき、前記第１の載置部と前記第２の載置部の境界部に配置されることを特徴とする。
【発明の効果】
【００１２】
本発明によれば、第１の載置部と第２の載置部との境界部に隙間が生じることがないため、媒体が境界部で損傷するのを防止できる。
【図面の簡単な説明】
【００１３】
【図１】本発明に基づく媒体搬送装置の実施の形態１の構成を示す外観斜視図である。
【図２】実施の形態１の媒体搬送装置を採用した本発明による画像形成装置の要部構成を概略的に示す要部構成図である。
【図３】（ａ）は、実施の形態１における、外装カバー部と、用紙載置板、第１補助トレイ、及び補助載置板の取り付け関係を説明するため、これらを簡略モデル化して示す要部構成図であり（ｂ）、（ｃ）、（ｄ）は各部での取り付け構成を説明するための部分構成図である。
【図４】給紙トレイが、媒体搬送装置本体側に折り畳まれた収納位置にあって、ロック部によってロックされた状態を示す説明図である。
【図５】（ａ）〜（ｇ）は、実施の形態１の媒体搬送装置における給紙トレイを本機側へ収納する際の動作を、順を追って示した動作図である。
【図６】実施の形態１の給紙トレイの他の変形例を示す部分構成図である。
【図７】（ａ）は、本発明に基づく実施の形態２の給紙トレイにおける、外装カバー部と、用紙載置板、第１補助トレイ、及び補助載置板の取り付け関係を説明するため、これらを簡略モデル化して示す要部構成図であり、（ｂ）は回動支持部の構成を示す部分構成図である。
【図８】実施の形態２において、用紙載置板が基準位置にあって、第１補助トレイ及び補助載置板が全開位置にあるときの、各用紙載置面の高さ関係を示す側面図である。
【図９】（ａ）〜（ｅ）は、実施の形態２の給紙トレイを本機側へ収納する際の動作を、順を追って示した動作図である。
【図１０】（ａ）〜（ｅ）は、図９（ａ）〜図９（ｅ）の各状態を媒体積載面の裏側（外装カバー部側）から見た状態を示す動作図である。
【図１１】（ａ）は、本発明に基づく実施の形態３の給紙トレイにおける、外装カバー部と、用紙載置板、第１補助トレイ、及び補助載置シートの取り付け関係を説明するため、これらを簡略モデル化して示す要部構成図であり、（ｂ）は回動支持部の構成を示す部分構成図である。
【図１２】実施の形態３において、用紙載置板が基準位置にあって、第１補助トレイが全開位置にあるときの、各部の状態を示す側面図である。
【図１３】（ａ）〜（ｄ）は、実施の形態３の給紙トレイを本機側へ収納する際の動作を、順を追って示した動作図である。
【図１４】（ａ）は、実施の形態４の給紙トレイの構成を示す構成図であり、同図（ｂ）は、（ａ）において２点鎖線で囲ったあたりの要部構成図である。
【図１５】（ａ）は、第１補助トレイを収納するために矢印Ａ方向へ持ち上げ、第１補助トレイが９０度以上回動した状態を示し、（ｂ）はこの時の２点鎖線で囲った爪部の様子を示している。
【図１６】（ａ）は、本発明に基づく実施の形態５の給紙トレイにおける、外装カバー部と、用紙載置板、第１補助トレイ、及び補助載置板の取り付け関係を説明するため、これらを簡略モデル化して示す要部構成図であり、（ｂ）はコロが配設されている部分の構成図である。
【発明を実施するための形態】
【００１４】
実施の形態１．
図１は、本発明に基づく媒体搬送装置の実施の形態１の構成を示す外観斜視図であり、図２は、この媒体搬送装置を採用した本発明による画像形成装置の要部構成を概略的に示す要部構成図である。
【００１５】
先ず、図２に示した画像形成装置について説明する。
図２に示す画像形成装置１０００は、例えばカラー電子写真プリンタとしての構成を備えている。同図中、給紙トレイ１００は、画像形成装置１０００本体に脱着可能に装着され、内部に積載された記録媒体としての記録用紙１０１を収容する。給紙トレイ１００の内部には用紙載置板１０２が支持軸１０２ａに回動可能に設けられ、記録用紙１０１の繰出し側の半部以上がこの用紙載置板１０２に載置される。また、給紙トレイ１００には、記録用紙１０１の積載位置を規制する図示せぬガイド部材が設けられ、記録用紙１０１の繰出し方向（図中Ｘ軸のマイナス方向）に対して直交する方向及び用紙繰出し方向において用紙側面を規制し、収容する記録用紙１０１の積載位置を一定に維持する。
【００１６】
給紙トレイ１００の繰出し側には、支持軸１０４ａに回動可能に設けられたリフトアップレバー１０４が設けられ、支持軸１０４ａはモータ１０５と接離可能に係合される。給紙トレイ１００が画像形成装置１０００本体に装着されるとリフトアップレバー１０４とモータ１０５が係合し、図示せぬ制御部がモータ１０５を駆動する。リフトアップレバー１０４が回動することでリフトアップレバー１０４の先端部が用紙載置板１０２の底部を持上げ、用紙載置板１０２に積載された記録用紙１０１が上昇する。記録用紙１０１がある高さまで上昇すると上昇検出部１０６が検知し、図示せぬ制御部がその検知した情報を元にモータ１０５を停止させる。
【００１７】
給紙トレイ１００の繰出し側には、記録用紙１０１を１枚ずつ繰出す用紙繰出し部２００が設けられている。用紙繰出し部２００には、ある高さまで上昇した記録用紙１０１に圧接するよう設けられたピックアップローラ２０１、前記ピックアップローラ２０１により繰出された記録用紙１０１を１枚ずつに分離するフィードローラ２０２とリタードローラ２０３のローラ対が設けられている。また用紙繰出し部２００には、記録用紙１０１の有無を検知する用紙有無検知部２０４、用紙残量を検知する用紙残量検知部２０５が設けられている。
【００１８】
用紙繰出し部２００より１枚に捌いて繰り出された記録用紙１０１は、用紙搬送部３００へ送られる。繰出された記録用紙１０１は用紙センサ３０１を通過し、搬送ローラ対３０２へ送られる。搬送ローラ対３０２は、記録用紙１０１が用紙センサ３０１を通過した時間から所定時間遅延したタイミングで図示せぬ駆動部により回転開始される。このため記録用紙１０１は、搬送ローラ対３０２の圧接部に僅かに撓んだ状態で押し込まれてその斜行が矯正される。搬送ローラ対３０２より送り出された記録用紙１０１は、用紙センサ３０３を通過し、搬送ローラ対３０４へ送られる。搬送ローラ対３０４は、記録用紙１０１が用紙センサ３０３を通過した時点から図示せぬ駆動部により回転され、記録用紙１０１を止めることなく送り出す。搬送ローラ対３０４により送り出された記録用紙１０１は、書込みセンサ３０５を通過して画像形成部４００へと送られる。
【００１９】
画像形成部４００は、直列に並べられた４つのトナー像形成部４３０と、トナー像形成部４３０により形成されたトナー像を、記録用紙１０１の上面にクーロン力により転写する転写部４６０からなる。尚、直列に並べられた４つのトナー像形成部４３０は全て同じ構成であり、使用されるトナーの色、即ち、イエロー（Ｙ）、マゼンタ（Ｍ）、シアン（Ｃ）、ブラック（Ｋ）のみが異なる。従って、ここでは簡単のため、イエロー（Ｙ）のトナー像形成部４３０のみ各部の構成を示し、他のトナー像形成部４３０については、省略して感光ドラム４３１のみを示す。
【００２０】
トナー像形成部４３０は、トナー像を担持する感光ドラム４３１、感光ドラム４３１の表面を帯電させる帯電ローラ４３２、帯電した感光ドラム４３１の表面に静電潜像を形成するＬＥＤアレイから成るＬＥＤヘッド４３３、摩擦帯電により静電潜像にトナー像を形成する現像ローラ４３４、トナーを供給するトナー供給部４３６、転写後に感光ドラム４３１の表面に残る残トナーを掻き落とすクリーニングブレード４３５などを備える。
【００２１】
転写部４６０は、用紙を静電吸着して搬送する転写ベルト４６１、図示せぬ駆動部より回転されて転写ベルト４６１を駆動するドライブローラ４６２、ドライブローラ４６２と対を成して転写ベルト４６１を張架するテンションローラ４６３、前記トナー像形成部４３０の感光ドラム４３１に対向して圧接するよう配置され、トナー像を記録用紙１０１に転写するよう電圧を印加する転写ローラ４６４、転写ベルト４６１上に付着したトナーを掻き取りクリーニングするクリーニングブレード４６５、クリーニングブレード４６５により掻き落とされたトナーを堆積するトナーボックス４６６からなる。
【００２２】
トナー像形成部４３０と転写ベルト４６１は同期して駆動され、転写ベルト４６１に静電吸着された記録用紙１０１に各色のトナー像を順次重ね合わせて転写する。このようにして画像形成部４００で画像を転写された記録用紙１０１は、トナー像を熱と圧力で記録用紙１０１に融着させる定着ユニット５００へ送り出される。
【００２３】
定着ユニット５００は、内部に熱源となるハロゲンランプ５０３を備え、表面を弾性体で形成されたアッパローラ５０１とロワローラ５０２のローラ対からなり、前記画像形成部４００より送り出された記録用紙１０１上のトナー像に熱と圧力を印加してトナー像を融解して記録用紙１０１に定着させる。その後記録用紙１０１は、排出ローラ対５０４によりスタッカ部５０５へと排出される。
【００２４】
一方、画像形成装置１０００には、第２の給紙手段としての給紙トレイ６００が備えられている。給紙トレイ６００は、給紙トレイ１００と同様の機能を有し、一般的にＭＰＴ（Ｍｕｌｔｉ  Ｐｕｒｐｏｓｅ  Ｔｒａｙ）或いは手差しトレイと呼ばれ、給紙トレイ１００では対応できないような、薄い用紙、厚い用紙、幅狭の用紙、長尺用紙、特殊媒体などに対応するもので多種多様に使用されることが多い。特に、給紙トレイ１００からの給紙では、用紙搬送部３００の大きく湾曲する用紙走行ルートが存在するため、用紙の走行負荷が大きくなる。このため、コシの強い厚い用紙や、給紙トレイ１００に収まりきれない長尺用紙に対しては、給紙トレイ６００を使用することによって可能となるストレートパス構造が活用される。
【００２５】
給紙トレイ６００は、後述するように回動自在に画像形成装置１０００本体に装着され、使用する際には開かれて記録用紙６０１が積載される。そして給紙トレイ６００が開かれると、図示しないホッパ機構により後述するピックアップローラ７０１が装置内部より引き出される。給紙トレイ６００には用紙載置板６０２が回動支持部６５１ａで回動可能に設けられ、記録用紙６０１がこの用紙載置板６０２に積載される。
【００２６】
また給紙トレイ６００には記録用紙６０１の積載位置を規制する図示せぬガイド部材が設けられ、記録用紙６０１の繰出し方向（図中Ｘ軸の正方向）に対し直交する方向及び用紙繰出し方向において用紙側面を規制し、収納する記録用紙６０１に載置位置を一定に維持する。また、給紙トレイ６００は、用紙走行方向に長い用紙を積載するために、後述する第１補助トレイ６０７、及び第２補助トレイ６０８（図１）を有している。
【００２７】
給紙トレイ６００の用紙繰出し側には、回動支持部６５１ａで回動可能に設けられた用紙載置板６０２に係合し、用紙載置板６０２上の記録用紙６０１の位置をコントロールするためのリフトアップ機構７０４が設けられ、用紙載置板６０２の先端部の高さを制御している。
【００２８】
給紙トレイ６００の用紙繰出し側には、記録用紙６０１を１枚ずつ繰出す用紙繰出し部７００が設けられている。これは、前記した用紙繰出し部２００と同様の機能を有する。用紙繰出し部７００には、ある高さまで上昇した記録用紙６０１に圧接するよう設けられたピックアップローラ７０１、ピックアップローラ７０１により繰出された記録用紙６０１を１枚ずつ分離するフィードローラ７０２とリタードローラ７０３のローラ対が設けられている。また、用紙繰出し部７００には記録用紙６０１の有無を検知する図示しない用紙有無検知部、及び用紙残量を検知する図示しない用紙残量検知部が設けられている。尚、これらの図示しない用紙有無検知部及び用紙残量検知部は、前記した用紙繰出し部２００における用紙有無検知部２０４及び用紙残量検知部２０５と同様に設けられるものである。
【００２９】
用紙繰出し部７００より１枚に捌いて繰出された記録用紙６０１は、用紙搬送部３００へ送られ、以下前述した給紙トレイ１００から送り出される記録用紙１０１の場合と同様に搬送される。
【００３０】
尚、同図中のＸＹＺ座標は、記録用紙１０１が各トナー像形成部４３０を通過する際の搬送方向にＸ軸をとり、感光ドラム４３１の回転軸方向にＹ軸をとり、これら両軸と直交する方向にＺ軸を取っている。また、後述する他の図においてＸＹＺ座標が示される場合、これらの座標の軸方向は、共通する方向を示すものとする。即ち、各図のＸＹＺ軸は、各図の描写部分が、図２に示す画像形成装置１０００を構成する際の配置方向を示すものである。
【００３１】
図１は、本発明に基づく実施の形態１の媒体搬送装置の要部構成を示す外観斜視図である。同図に示すように、媒体搬送装置７２０は、ここでは給紙トレイ６００、支持部７１１、ロック部６１０、ピックアップローラ７０１、及び図２に示すフィードローラ７０２、リタードローラ７０３、リフトアップ機構７０４等を含む。
【００３２】
媒体載置部としての絵紙トレイ６００は、後述するように、媒体搬送装置本体の支持部７１１に回動自在に保持された外装カバー部（保持部材）６０６、外装カバー部６０６に回動自在に保持され、記録用紙６０１が積載される用紙載置板（第１の載置部）６０２、用紙載置板６０２に形成されて、載置される記録用紙６０１（図２）の側面を規制する左右一対の側面ガイド部材６０５、外装カバー部６０６に回動自在に保持され、用紙走行方向に長い記録用紙を積載するための第１補助トレイ（第２の載置部）６０７、第１補助トレイ６０７に各々回動自在に保持された一対の第２補助トレイ６０８、及び第１補助トレイ６０７に回動自在に保持され、用紙載置板（主トレイ）６０２と第１補助トレイ６０７との境界部を覆う補助載置板（補助部材）６０９を有する。
【００３３】
一対の第２補助トレイ６０８は、不要のときには、図１に示すようにそれぞれ矢印Ｇ，Ｈ方向に回動して、第１補助トレイ６０７の下部に収納される。
【００３４】
図３（ａ）は、外装カバー部６０６と、用紙載置板（主トレイ）６０２、第１補助トレイ６０７、及び補助載置板６０９の取り付け関係を説明するため、これらを簡略モデル化して示す要部構成図であり、図３（ｂ）、（ｃ）、（ｄ）は各部での取り付け構成を説明するための部分構成図である。
【００３５】
用紙載置板６０２は、第１補助トレイ６０７と対向する側の長辺近傍の両端部において同軸上に配置されて回転軸部をなす一対のボス６０２ａが形成されている。同図（ｂ）は、このボス６０２ａを含んで構成される一方の回動支持部６５１ａの構成をＸ軸のプラス側からみた部分構成図である。同図に示すように、ボス６０２ａは、外装カバー部６０６の両端部に形成された軸受け部６０６ａに嵌入して回転可能に軸支されている。他方の回動支持部６５１ｂも同様に構成され、用紙載置板６０２は、外装カバー部６０６によって回動自在に保持されている。
【００３６】
また、用紙載置板６０２の第１補助トレイ６０７と対向する側には、所定の幅及び奥行きを有するコ字状の切り欠き部６０２ｂが形成されている。尚、用紙載置板６０２が、例えば外装カバー部６０６に当接して安定する図３（ａ）に示す回動位置を、用紙載置板６０２の基準回動位置とする。
【００３７】
第１補助トレイ６０７は、用紙載置板６０２と対向する側の長辺近傍の両端部において同軸上に配置されて回転軸部をなす一対のボス６０７ａが形成されている。同図（ｃ）は、このボス６０７ａを含んで構成される一方の回動支持部６５２ａの構成をＸ軸のプラス側からみた部分構成図である。同図に示すように、ボス６０７ａは、外装カバー部６０６の両端部に形成された軸受け部６０６ｂに嵌入して回転可能に軸支されている。他方の回動支持部６５２ｂも同様に構成され、第１補助トレイ６０７は、用紙載置板６０２に隣接する位置において外装カバー部６０６によって回動自在に保持されている。
【００３８】
また、第１補助トレイ６０７の用紙載置板６０２と対向する側には、第１補助トレイ６０２の切り欠き部６０２ｂと略対向する位置において所定の奥行きを有するコ字状の切り欠き部６０７ｃが形成されている。尚、第１補助トレイ６０７は、基準回動位置にある用紙載置板６０２と略平行となる同図（ａ）に示す回動位置から、自重等により、更にＹ軸回りのＤ方向に回動しないよう図示しない規制手段によって同方向の回動が規制されている。尚、この時の第１補助トレイ６０７を以後全開状態と称し、用紙載置板６０２と第１補助トレイ６０７とは、境界部６１５を介して略面一となるように配置される。
【００３９】
補助載置板６０９は、用紙載置板６０２のコ字状の切り欠き部６０２ｂ及び第１補助トレイ６０７のコ字状の切り欠き部６０７ｃによって形成される略長方形状の開口部に多少の隙間を生じて嵌る程度の外形に形成され、第１補助トレイ６０７と対向する側の長辺近傍のその両端部において、同軸上に配置されて回転軸部をなす一対のボス６０９ａが形成されている。同図（ｄ）は、このボス６０９ａを含んで構成される一方の回動支持部６５３ａの構成をＺ軸のプラス側からみた部分構成図である。同図に示すように、ボス６０９ａは、第１補助トレイ６０７の対向する位置に形成された軸受け部６０７ｂに嵌入して回転可能に軸支されている。他方の回動支持部６５３ｂも同様に構成され、補助載置板６０９は、第１補助トレイ６０７によって回動自在に保持されている。
【００４０】
尚、補助載置板６０９は、基準回動位置にある用紙載置板６０２と略平行となる同図（ａ）に示す回動位置から、自重等により、更にＹ軸回りのＡ方向に回動しないように、例えば一部が用紙載置板６０２と当接して、或いは他の図示しない規制手段によって同方向の回動が規制されている。この時の補助載置板６０９を、以後全開状態と称す。
【００４１】
以上のように、補助載置板６０９は、用紙載置板６０２と第１補助トレイ６０７の境界部に、境界部全域にわたる直線状の隙間が形成されないよう、境界部を遮断するように配置されるため、記録用紙６０１（図２）を、用紙載置板６０２と第１補助トレイ６０７の上に積載する際に、用紙がこの境界部の溝に引っかかって折れ曲がるなどの不慮の自体を防ぐ。
【００４２】
また図３（ａ）に示すように、用紙載置板６０２には、後述するように、補助載置板６０９を回動させる際にガイドとして作用する凸状部６０２ｃが用紙搬送方向に沿って形成されている。一方補助載置板６０９には、用紙載置板６０２の凸状部６０２ｃをまたぐ形で凹状部６０９ｂが形成され、補助載置板６０９が回動する際には、この凹状部６０９ｂが凸状部６０２ｃにガイドされながら、用紙搬送方向に沿って移動する。同図（ａ）では、これらのガイド部が用紙載置板６０２の略中央部に形成されているが、両サイド等に形成することも可能である。また同図（ｅ）に示すように、用紙載置板６０２と補助載置板６０９が当接する部分は互いに斜面が形成され、当接後、補助載置板６０９が滑らかに用紙載置板６０２の上方に移動できるようになっている。
【００４３】
図１に示すように、給紙トレイ６００の上方には、画像形成装置１０００（図２）を操作し、或いは状況を確認する為のオペレーション・パネル７１０が配置されている。ロック部６１０はこのオペレーション・パネル７１０の下方にあって、後述するように給紙トレイ６００を本機側に閉じた状態で保持する。尚、給紙トレイ６００は、使用されない場合はロック部６１０でロックされて閉じた状態となっているが、例えば、用紙繰出し部２００より1枚に捌いて繰出された記録用紙１０１が用紙搬送部３００へ送られてジャムを起こした際にも第２の給紙手段である給紙トレイ６００を開放し、走行部を開放することで、ユーザがジャム紙を除去しやすくする。
【００４４】
図４は、給紙トレイ６００が、媒体搬送装置７２０本体側に折り畳まれた収納位置にあって、上記ロック部６１０によってロックされた状態を示す説明図である。同図に示すように、本実施の形態では、装置をコンパクトにするため、給紙トレイ６００を折り畳んでロックした際に、給紙トレイ６００が、オペレーション・パネル７１０及びロック部６１０より下側に配置され、コンパクトに収まるように考慮されている。このように、外装カバー部６０６は、図４に示す収納位置と、図１に示すように給紙トレイ６００が、記録用紙６０１（図２）を積載する状態の稼働位置との間で回動する。
【００４５】
図５（ａ）〜図５（ｇ）は、給紙トレイ６００を本機側へ収納する際の動作を、順を追って示した動作図である。尚、第２補助トレイ６０８は、この時、前記したように第１補助トレイ６０９下部に収納されているものとし、更に動作の説明を容易にするため、各図の構成は簡略化されて示されている。
【００４６】
同図（ａ）は、給紙トレイ６００が、記録用紙６０１（図２）を積載する状態、即ち第１補助トレイ６０７及び補助載置板６０９が、基準回動位置にある用紙載置板（主トレイ）６０２と略平行となっている状態を示している。尚、この時の第１補助トレイ６０７及び補助載置板６０９は、前記したように全開状態となっている。
【００４７】
この状態から、例えばユーザが第１補助トレイ６０７を収納するために矢印Ａ方向へ持ち上げると、同図（ｂ）〜（ｆ）に示すように、第１補助トレイ６０７は、回転軸部をなす一対のボス６０７ａ（図３参照）を支点として回動し、補助載置板６０９は、第１補助トレイ６０７に軸支された、回転軸部をなす一対のボス６０９ａ（図３）を支点として回動しながら、用紙載置板６０２の凸状部６０２ｃにガイドされて用紙載置板６０２上を矢印Ｂ方向にスライド移動する。やがて、同図（ｇ）に示すように、第１補助トレイ６０７は略１８０度回動し、補助載置板６０９は移動を終了して折り畳まれ、外装カバー部６０６に収納される。最終的には、第１補助トレイ６０７及び補助載置板６０９を収納する外装カバー部６０６を、図４に示すように、更に媒体搬送装置７２０本体側に回動してロック部６１０でロックして収納する。
【００４８】
また、画像形成装置１０００本体に収納した給紙トレイ６００を再び開くには、ロック部６１０によるロックを解除し、外装カバー部６０６を開いて図４（ｇ）の状態とし、第１補助トレイ６０７を矢印Ａと逆方向に１８０度回動することにより、各部が図４（ｇ）〜（ａ）まで逆方向に移動し、第１補助トレイ６０７及び補助載置板６０９を再び全開状態とすることができる。
【００４９】
以上のように、本実施の形態の給紙トレイ６００によれば、補助載置板６０９を設けることにより、用紙載置板６０２と第１補助トレイ６０７の境界部に、境界部全域にわたる直線状の隙間が形成されないよう、境界部を遮断するように配置されるため、用紙の折れ曲がりや座屈、破損等を防止し、更には幅広対応の装置で、開口部が大きい場合でも、幅狭の用紙がその開口部から脱落し、汚してしまうといった不都合を解消でき、用紙扱いの容易性を向上することができる。更に、第１補助トレイ６０７の動作に連動して、回動可能に配設したことで、給紙トレイをコンパクトに折り畳むことが可能となる。
【００５０】
図６は、本実施の形態の給紙トレイ６００の他の変形例を示す部分構成図である。この部分構成図は、前記した図３（ａ）の要部構成図を参照すると、補助載置板６０９に形成されたボス６０９ａを含んで構成される一方の回動支持部６５３ａの構成をＹ軸のプラス側からみた図に相当する。
【００５１】
同図に示すように、回動支持部６５３ａにおいて、付勢手段、例えばトーション・スプリング６１２を追加している。このトーション・スプリング６１２は、螺旋部にボス６０９ａが嵌入するように配設され、一端が補助載置板６０９に形成された係止ピン６０９ｃに架けられ、他端が第１補助トレイ６０７に形成された係止ピン６０７ｄに架けられている。このため、この変形例では、必要に応じて第１補助トレイ６０７に溝６０７ｅが形成される。このトーション・スプリング６１２は、圧縮された状態で取り付けられ、常に、補助載置板６０９を用紙載置板（主トレイ）６０２側に付勢する。
【００５２】
従って、前記したように図５（ａ）に示す状態から、ユーザが第１補助トレイ６０７を収納するために、これを矢印Ａ方向へ持ち上げて同図（ｂ）〜（ｇ）に示すように回動すると、この変形例では、補助載置板６０９がトーション・スプリング６１２により常に用紙載置板（主トレイ）６０２を押圧する付勢力を受けた状態で用紙載置板６０２上を矢印Ｂ方向にスライド移動する。
【００５３】
このように、補助載置板６０９が媒体積載板６０２側へ付勢されたことで、第１補助トレイ６０７の動作に対して安定して連動することが可能となる。つまり、ユーザの扱いによっては、境界部を覆う補助載置板６０９が跳ね返ってしまうことも想定され、ユーザの媒体セットの煩わしさが発生してしまうが、補助載置板６０９に常に付勢力がかけられていることで、媒体積載板（主トレイ）６０２と第１補助トレイの境界部を確実に覆うことが可能となり、用紙扱の容易性を更に向上することができる。
【００５４】
実施の形態２．
図７（ａ）は、本発明に基づく実施の形態２の給紙トレイにおける、外装カバー部６２６と、用紙載置板（主トレイ）６０２、第１補助トレイ６０７、及び補助載置板６２９の取り付け関係を説明するため、これらを簡略モデル化して示す要部構成図である。
【００５５】
この給紙トレイを採用する媒体搬送装置が、前記した図１に示す実施の形態１の媒体搬送装置７２０と主に異なる点は、図７（ａ）に示す補助載置板６２９の取り付け方法である。従って、この給紙トレイを採用する媒体搬送装置が、前記した実施の形態１の媒体搬送装置７２０と共通する部分には同符号を付して、或いは図面を省いて説明を省略し、異なる点を重点的に説明する。
【００５６】
図７（ａ）に示す実施の形態２の給紙トレイにおいて、用紙載置板６０２が、外装カバー部６２６によって回動自在に保持される回動支持部６５１ａ，６５１ｂの構成、及び第１補助トレイ６０７が、外装カバー部６２６によって回動自在に保持される回動支持部６５２ａ，６５２ｂの各構成は、前記した実施の形態１と全く同じなので、ここでの説明は省略する。尚、ここでは用紙載置板（第１の載置部）６０２と外装カバー部（保持部材）６２６とが媒体載置基体に相当する。
【００５７】
補助載置板６２９は、用紙載置板６０２のコ字状の切り欠き部６０２ｂ及び第１補助トレイ６０７のコ字状の切り欠き部６０７ｃによって形成される略長方形状の開口部に多少の隙間を生じて嵌る程度の外形に形成され、用紙載置板６０２と対向する側の長辺近傍のその両端部に形成された突起部６２９ｂにおいて同軸上に配置されて回転軸部をなす一対のボス６２９ａが形成されている。
【００５８】
同図（ｂ）は、このボス６２９ａを含んで構成される一方の回動支持部６５５ａの構成をＸ軸のプラス側からみた部分構成図である。同図に示すように、ボス６２９ａは外装カバー部６２６の対向する位置に形成された軸受け部６２６ｃに嵌入して回転可能に軸支されている。他方の回動支持部６５５ｂも同様に構成され、補助載置板６２９は、外装カバー部６２６によって回動自在に保持されている。
【００５９】
補助載置板６２９の第１補助トレイ６０７と対向する側の長辺近傍には、その略中央部下部面に勘合部６２９ｄが形成され、外装カバー部６２６にも、後述するように補助載置板６２９がＹ軸回りの矢印Ｄ方向に略１８０度回動して外装カバー部６２６の下部面に当接した状態で、この補助載置板６２９の勘合部６２９ｄに嵌合してこれを固定するための勘合部６２６ｄが形成されている。
【００６０】
同図（ａ）は、給紙トレイが、記録用紙６０１（図２）を積載する状態、即ち第１補助トレイ６０７及び補助載置板６２９が、基準回動位置にある用紙載置板（主トレイ）６０２と略平行となっている状態を示している。尚、この時の第１補助トレイ６０７及び補助載置板６２９を以後全開状態と称す。第１補助トレイ６０７には、補助載置板６２９が全開状態にあるとき、自重よって更にＹ軸回りのＤ方向に回動しないよう規制するための規制部６０７ｅが形成されている。
【００６１】
図８は、本実施の形態において、用紙載置板（主トレイ）６０２が基準位置にあって、第１補助トレイ６０７及び補助載置板６２９が全開位置にあるときの、各用紙載置面の高さ関係を示す側面図である。
【００６２】
同図に示すように、第1の補助トレイ６０７の載置面６０７ｈは、補助載置板６２９の載置面６２９ｈよりも高く、補助載置板６２９の載置面６２９ｈは用紙載置板６０２の載置面６０２ｈよりも高く形成される。更に、補助載置板６２９には媒体載置板６０２にオーバーラップするための突出部６２９ｉが形成されている。
【００６３】
図９（ａ）〜図９（ｅ）は、本実施の形態の給紙トレイを本機側へ収納する際の動作を、順を追って示した動作図であり、図１０（ａ）〜図１０（ｅ）は、図９（ａ）〜図９（ｅ）の各状態を媒体積載面の裏側（外装カバー部６２６側）から見た状態を示す動作図である。尚、動作の説明を容易にするため、各図の構成は簡略化されて示されている。
【００６４】
同図（ａ）は、給紙トレイが、記録用紙６０１（図２）を積載する状態、即ち第１補助トレイ６０７及び補助載置板６２９が、基準回動位置にある用紙載置板（主トレイ）６０２と略平行となっている全開状態の図である。
【００６５】
この状態から、ユーザは、先ず図９、図１０の各（ｂ）に示すように、補助載置板６２９を、第１補助トレイの規制部６０７ｅによる規制から外し、矢印Ｄの方向へ押し下げる。尚、第１補助トレイの規制部６０７ｅは、例えば、付勢手段によって突出する方向に付勢されて補助載置板６２９の下面を支持するように構成され、補助載置板６２９の、矢印Ｄの方向への所定以上の回動力を受けると引っ込み、補助載置板６２９を通過させるように動作するものとする。
【００６６】
これにより、同図（ｂ）〜（ｃ）に示すように、補助載置板６２９は、外装カバー６２６に軸支された、回転軸部をなす一対のボス６２９ａ（図７）を支点として矢印Ｄ方向に回動する。その後、同図（ｄ）に示すように、略１８０度回転して補助載置板６２９に形成された勘合部６２９ｄと外装カバー６２６に形成された勘合部６２６ｄとが結合する。その後、第１の補助トレイ６０７を矢印Ａの方向へ折畳むことによって同図（ｅ）のように収納される。最終的には、図４に示すように、第１補助トレイ６０７及び補助載置板６２９を収納する外装カバー部６２６（同図中の６０６に対応）を、更に媒体搬送装置７２０本体側に回動してロック部６１０でロックして収納する。
【００６７】
また、画像形成装置１０００本体に収納した給紙トレイを再び開くには、ロック部６１０によるロックを解除し、外装カバー部６２６を開いて図９（ｅ）の状態とし、図９（ｅ）〜（ａ）まで逆方向に回動することによって、第１補助トレイ６０７及び補助載置板６２９を再び全開状態とすることができる。
【００６８】
以上のように、本実施の形態の給紙トレイによれば、補助載置板６２９の回転支点を外装カバー６２６に形成することで、補助載置板６２９に媒体積載板６０２にオーバーラップする突出部６２９ｉを形成することが可能となり、媒体積載板（主トレイ）と第１補助トレイの境界部を、更に密に覆うことが可能となる。これにより隙間、及び引っ掛かり部をなくすことが可能となったため、用紙載置による用紙の折れ曲がりや座屈、破損等を防止し、用紙扱いの容易性を更に向上することができる。
【００６９】
実施の形態３．  
図１１（ａ）は、本発明に基づく実施の形態３の給紙トレイにおける、外装カバー部６３６と、用紙載置板（主トレイ）６０２、第１補助トレイ６０７、及び補助載置シート６３９の取り付け関係を説明するため、これらを簡略モデル化して示す要部構成図である。
【００７０】
この給紙トレイを採用する媒体搬送装置が、前記した図１に示す実施の形態１の媒体搬送装置７２０と主に異なる点は、図１１（ａ）に示す補助載置シート６３９が補助載置板６０９（図３）に代わって採用されている点である。従って、この給紙トレイを採用する媒体搬送装置が、前記した実施の形態１の媒体搬送装置７２０と共通する部分には同符号を付して、或いは図面を省いて説明を省略し、異なる点を重点的に説明する。
【００７１】
図１１（ａ）に示す実施の形態３の給紙トレイにおいて、用紙載置板６０２が、外装カバー部６３６によって回動自在に保持される回動支持部６５１ａ，６５１ｂの構成、及び第１補助トレイ６０７が、外装カバー部６３６によって回動自在に保持される回動支持部６５２ａ，６５２ｂの各構成は、前記した実施の形態１と全く同じなので、ここでの説明は省略する。
【００７２】
補助載置シート６３９は、巻き取り軸６４０に一端が固定された状態で所定回数だけ巻回された状態とされ、他端部は第１補助トレイ６０７の先端面６０７ｆに固定されている。巻き取り軸６４０は、その両端部にボス６４０ａが形成されている。
【００７３】
同図（ｂ）は、このボス６４０ａを含んで構成され、用紙載置板６０２の切り欠き部６３６ｂの最奥部に対応して設けられる一方の回動支持部６５６ａの構成をＸ軸のプラス側からみた部分構成図である。同図に示すように、ボス６４０ａは外装カバー部６３６の対向する位置に形成された軸受け部６３６ｆに嵌入して回転可能に軸支されている。更に、軸受け部６３６ｆと巻き取り軸６４０間には、図示しない付勢手段（例えばゼンマイ）が介在し、巻き取り軸６４０にＹ軸回りの矢印Ａ方向の付勢力が生じるように構成されている。他方の回動支持部６５６ｂも同様に構成され、結局、巻き取り軸６４０は、補助載置シート６３９を巻き取る方向に付勢されて、補助載置シート６３９を常に緊張した状態に保つ。
【００７４】
図１２は本実施の形態において、用紙載置板（主トレイ）６０２が基準位置にあって、第１補助トレイ６０７が全開位置にあるときの、各部の状態を示す側面図である。前記しように、補助載置シート６３９の端部は、第１の補助トレイ６０７の先端面６０７ｆに固定されている。外装カバー６３６に形成される軸受け部６３６ｆに回転可能に軸支される巻き取り軸６４０に巻回される補助載置シート６３９は、例えば平滑度のあるフィルムで作成されている。
【００７５】
図１３（ａ）〜図１３（ｄ）は、本実施の形態の給紙トレイを本機側へ収納する際の動作を、順を追って示した動作図である。尚、動作の説明を容易にするため、各図の構成は簡略化されて示されている。
【００７６】
同図（ａ）は、給紙トレイが、記録用紙６０１（図２）を積載する状態、例えば第１補助トレイ６０７が、基準回動位置にある用紙載置板（主トレイ）６０２と略平行となっている全開状態の図である。この状態から、例えばユーザが第１補助トレイ６０７を収納するために矢印Ａ方向に持上げると、同図（ｂ）〜（ｃ）に示すように、第１補助トレイ６０７は、回転軸部をなす一対のボス６０７ａ（図３参照）を支点として回動し、補助載置シート６３９は、この間、緊張状態が維持されるように巻き取り軸６４０に巻き取られる。やがて、同図（ｄ）に示すように、第１補助トレイ６０７は略１８０度回動し、補助載置シート６３９は緊張状態を保ったまま外装カバー部６３６に収納される。最終的には、図４に示すように、第１補助トレイ６０７及び補助載置シート６３９を収納する外装カバー部６３６を（同図中の６０６に対応）、更に媒体搬送装置７２０本体側に回動してロック部６１０でロックして収納する。
【００７７】
また、画像形成装置１０００本体に収納した給紙トレイを再び開くには、ロック部６１０によるロックを解除し、外装カバー部６３６を開いて図１３（ｄ）の状態とし、第１補助トレイ６０７を矢印Ａと逆方向に１８０度回動することにより、各部が図１３（ｄ）〜（ａ）まで逆方向に移動し、第１補助トレイ６０７を再び全開状態とすることができる。この間、補助載置シート６３９は緊張を維持したまま巻き取り軸６４０から巻き戻されて図１３（ａ）の状態に至る。
【００７８】
以上のように、本実施の形態の給紙トレイによれば、補助載置板の代わりに補助積載シート６３９を配設したことにより、例えば実施の形態１において第1の補助トレイ６０７と補助積載板６０９と間に形成された境界部の隙間、段差を完全になくすことが可能となり、隙間及び、引っ掛かり部がなくなったため、用紙載置による用紙の折れ曲がりや座屈、破損等を防止し、用紙扱いの容易性を更に向上することができる。
【００７９】
実施の形態４．
図１４（ａ）は、本発明に基づく実施の形態４の給紙トレイの構成を示す構成図であり、同図（ｂ）は、図１４（ａ）において、２点鎖線で囲ったあたりの要部構成図である。
この給紙トレイ６８０が前記した実施の形態１に示す給紙トレイ６００と異なる点は、用紙載置板（主トレイ）６６２（実施の形態１では６０２）と補助載置板６６９（実施の形態１では６０９）とが対向する箇所の一部の形状である。従って、この給紙トレイ６８０を採用する媒体搬送装置が、前記した実施の形態１の画像形成装置と共通する部分には同符号を付して、或いは図面を省いて説明を省略し、異なる点を重点的に説明する。
【００８０】
以下、実施の形態１で説明した、外装カバー部６０６と、用紙載置板６０２（本実施の形態では６６２）、第１補助トレイ６０７、及び補助載置板６０９（本実施の形態では６６９）の取り付け関係を示す図３（ａ）を参照しながら説明する。
【００８１】
図１４（ｂ）に示すように、図３中で、用紙載置板６０２（ここでは６６２）と補助載置板６０９（ここでは６６９）が対向する部分の複数箇所には、補助載置板６６９に形成される爪部６６９ｊと、用紙載置板６６２に形成される爪部６６２ｊが形成されている。
【００８２】
同図に示すように、爪部６６９ｊと爪部６６２ｊは、給紙トレイ６８０が、記録用紙６０１（図２）を積載する状態、例えば、用紙載置板６６２が基準回動位置にあり、第１補助トレイ６０７及び補助載置板６６９が全開状態にあるとき（図５（ａ）の状態に相当）、係合して用紙載置板６６２と補助載置板６６９とを確実に係合する。
【００８３】
図１５（ａ）は、例えばユーザが第１補助トレイ６０７を収納するために矢印Ａ方向へ持ち上げ、第１補助トレイ６０７が９０度以上回動した状態（図５（ｅ）の状態に相当）を示し、同図（ｂ）はこの時の２点鎖線で囲った爪部の様子を示している。このとき爪部６６９ｊと爪部６６２ｊは離間した状態にある。この状態から、第１補助トレイ６０７及び補助載置板６６９を全開状態とすべく、第１補助トレイ６０７を矢印Ａと反対方向に回動すると、同図（ｂ）に示すように、補助載置板６６９の爪部６６９ｊが用紙載置板６６２の傾斜部をたどって矢印方向に移動し、再び爪部６６９ｊと爪部６６２ｊとが係合して用紙載置板６６２と補助載置板６６９とを確実に係合する。
【００８４】
以上のように、本実施の形態の給紙トレイによれば、用紙載置板６６２に形成された爪部６６２ｊと補助載置板６６９に形成された爪部６６９ｊが係合することにより、用紙載置板６６２と補助載置板６６９が結合されて補強板として機能するため、トレイとしての剛性のアップが見込め、これによりトレイのたわみを防止することが可能となる。つまり、トレイのたわみによって発生する隙間等が防止でき、更に用紙の折れ曲がりや座屈、破損等を防止し、用紙扱いの容易性を更に向上することができる。
【００８５】
実施の形態５．
図１６（ａ）は、本発明に基づく実施の形態５の給紙トレイにおける、外装カバー部６０６と、用紙載置板（主トレイ）６０２、第１補助トレイ６０７、及び補助載置板６７９の取り付け関係を説明するため、これらを簡略モデル化して示す要部構成図である。
【００８６】
この給紙トレイを採用する媒体搬送装置が、前記した図１に示す実施の形態１の媒体搬送装置７２０と主に異なる点は、図１６（ａ）に示す補助載置板６７９には、複数箇所（本実施の形態では２箇所）においてコロ６４３が取り付けられている点である。従って、この給紙トレイを採用する媒体搬送装置が、前記した実施の形態１の媒体搬送装置７２０と共通する部分には同符号を付して、或いは図面を省いて説明を省略し、異なる点を重点的に説明する。
【００８７】
同図（ｂ）は、コロ６４３が配設されている部分をＹ軸のプラス方向からみた構成図である。コロ６４３は、コロ６４３を挟んで補助載置板６７９から延在する一対の保持アーム６７９ｋによって回転自在に保持され、記録用紙６０１（図２）を積載する状態、例えば、用紙載置板６０２が基準回動位置にあり、第１補助トレイ６０７及び補助載置板６７９が全開状態にあるとき（図５の（ａ）の状態に相当）、図１６（ｂ）に点線で示すように、用紙載置板６０２の先端部に形成された傾斜部６０２ｋの位置に留まっている。このとき、コロ６４３が傾斜部６０２ｋに接触しないように構成することが好ましい。
【００８８】
この状態から、第１補助トレイ６０７が図５（ａ）〜図５（ｇ）に示す各回動位置をとり、補助載置板６０９（ここでは６７９）が用紙載置板６０２上をスライドするとき、コロ６４３は、用紙載置板６０２の傾斜部６０２ｋを含めて用紙載置板６０２の上を滑らかに移動する。
【００８９】
以上のように、本実施の形態の給紙トレイによれば、境界部を覆う補助積載板６７９の先端部に複数のコロ６４３を回転可能に配設したことで、第１補助トレイに連動する動作がより滑らかに行える。よって、ユーザのトレイの扱い易さがより向上することが期待できる。更には、補助積載板６０９が媒体積載可能な位置に配置された際に、コロ６４３が回転可能に配設されることで、ユーザが用紙をセットする際にも、前記コロ６４３が用紙裏面に擦られた際に、その用紙により回転させられるため、摩擦力が軽減し、用紙の折れ曲がりや座屈、破損等を防止し、用紙扱いの容易性を更に向上することができる。
【産業上の利用可能性】
【００９０】
上記した各実施の形態では、本発明の媒体搬送装置を、画像形成装置としてのカラー電子写真プリンタの給紙装置として説明したが、記録材上に画像を形成する複写機、ファクシミリ、プリンタ等の画像形成装置の給紙装置として、更にはこれらの排紙トレイとしても利用することができる。また、媒体を読み取るスキャナーの給紙装置及び排紙トレイとしても利用できる。
【符号の説明】
【００９１】
１００  給紙トレイ、  １０１  記録用紙、  １０２  用紙載置板、  １０２ａ  支持軸、  １０４  リフトアップレバー、  １０４ａ  支持軸、  １０５  モータ、  １０６  上昇検出部、  ２００  用紙繰出し部、  ２０１  ピックアップローラ、  ２０２  フィードローラ、  ２０３  リタードローラ、  ２０４  用紙有無検知部、  ２０５  用紙残量検知部、  ３００  用紙搬送部、  ３０１  用紙センサ、  ３０２  搬送ローラ対、  ３０３  用紙センサ、  ３０４  搬送ローラ対、  ３０５  書込みセンサ、  ４００  画像形成部、  ４３０  トナー像形成部、  ４３１  感光ドラム、  ４３２  帯電ローラ、  ４３３  ＬＥＤヘッド、  ４３４  現像ローラ、  ４３５  クリーニングブレード、  ４３６  トナー供給部、  ４６０  転写部、  ４６１  転写ベルト、  ４６２  ドライブローラ、  ４６３  テンションローラ、  ４６４  転写ローラ、  ４６５  クリーニングブレード、  ４６６  トナーボックス、  ５００  定着ユニット、  ５０１  アッパローラ、  ５０２  ロワローラ、  ５０３  ハロゲンランプ、  ５０４  排出ローラ対、  ５０５  スタッカ部、  ６００  給紙トレイ、  ６０１  記録用紙、  ６０２  用紙載置板、  ６０２ａ  ボス、  ６０２ｂ  切り欠き部、  ６０２ｃ  凸状部、  ６０２ｈ  載置面、  ６０５  側面ガイド部材、  ６０６  外装カバー部、  ６０６ａ，６０６ｂ  回動軸受け部、  ６０７  第１補助トレイ、  ６０７ａ  ボス、  ６０７ｂ  軸受け部、  ６０７ｃ  切り欠き部、  ６０７ｄ  係止ピン、  ６０７ｅ  規制部、  ６０７ｆ  先端面、  ６０７ｈ  載置面、  ６０８  第２補助トレイ、  ６０９  補助載置板、  ６０９ａ  ボス、  ６０９ｂ  凹状部、  ６０９ｃ  係止ピン、  ６１０  ロック部、  ６１２  トーション・スプリング、  ６１５  境界部、  ６２６  外装カバー部、  ６２６ｃ  軸受け部、  ６２６ｄ  勘合部、  ６２９  補助載置板、  ６２９ａ  ボス、  ６２９ｂ  突起部、  ６２９ｄ  勘合部、  ６２９ｈ  載置面、  ６２９ｉ  突出部、  ６３６  外装カバー部、  ６３６ｆ  軸受け部、  ６３９  補助載置シート、  ６４０  巻き取り軸、  ６４０ａ  ボス、  ６４３  コロ、  ６５１ａ，６５１ｂ  回動支持部、  ６５２ａ，６５２ｂ  回動支持部、  ６５３ａ，６５３ｂ  回動支持部、  ６５５ａ，６５５ｂ  回動支持部、  ６５６ａ，６５６ｂ  回動支持部、  ６６２  用紙載置板、  ６６２ｊ  爪部、  ６６９  補助載置板、  ６６９ｊ  爪部、  ６７９  補助載置板、  ６７９ｋ  保持アーム、  ６８０  給紙トレイ、  ７００  用紙繰出し部、  ７０１  ピックアップローラ、  ７０２  フィードローラ、  ７０３  リタードローラ、  ７０４  リフトアップ機構、  ７１０  オペレーション・パネル、  ７１１  支持部、  ７２０  媒体搬送装置、  １０００  画像形成装置。
【図１】
2011136842.tif 000003
【図２】
2011136842.tif 000004
【図３】
2011136842.tif 000005
【図４】
2011136842.tif 000006
【図５】
2011136842.tif 000007
【図６】
2011136842.tif 000008
【図７】
2011136842.tif 000009
【図８】
2011136842.tif 000010
【図９】
2011136842.tif 000011
【図１０】
2011136842.tif 000012
【図１１】
2011136842.tif 000013
【図１２】
2011136842.tif 000014
【図１３】
2011136842.tif 000015
【図１４】
2011136842.tif 000016
【図１５】
2011136842.tif 000017
【図１６】
2011136842.tif 000018